(57)【要約】本開示は、積層カートリッジディスクを始めに設置し、取り出し、かつ搬送する特有の機器を使用する。この機器は、センタポスト部材と、センタポスト部材に対して相対的に作動可能に位置しかつセンタポスト部材に作動可能に接続する接続部材とを含む。この機器は、センタポスト部材に作動可能に接続するアダプタ部材をも含み、センタポストがハウジングベースに作動可能に接続する際に、少なくとも１個のディスクを支持し、かつ、ハウジングベースから少なくとも１個のディスクを設置／取り出しの間に少なくとも１個のディスクを支持する。
2004507413.tif 000002
【特許請求の範囲】
【請求項１】
第１端部と第２端部を有するセンタポスト部材と、
前記センタポスト部材の前記第１端部に作動可能に接続するアタッチメント部材と、前記アタッチメント部材が第１位置から第２位置への少なくとも１個のフィルタディスクの吊り上げを容易にする手段を含み、
前記センタポスト部材の前記第２端部に作動可能に接続するアダプタ部材と、前記アダプタ部材が前記センタポスト部材に対して作動可能に相対的に位置する前記少なくとも１個のフィルタディスクを支持し、
を有する、前記フィルタディスクの取扱い機器。
【請求項２】
前記少なくとも１個のフィルタディスクを前記第１位置から前記第２位置へ搬送することができるように、前記取扱い機器を垂直に持ち上げるために前記アタッチメント部材に作動可能に接続した吊り上げ装置を有する、請求項１に記載の機器。
【請求項３】
前記吊り上げ装置が、電動ホイストを有する、請求項２に記載の機器。
【請求項４】
前記吊り上げ装置が、手動操作のチェーンホイストを有する、請求項２に記載の機器。
【請求項５】
前記第１位置が、流体がセンタポスト部材に作動可能に相対的に位置する前記少なくとも一個のフィルタディスクを通過するフィルタアセンブリ内の設置位置であり、かつ前記第２位置が、前記少なくとも１個のフィルタディスクを前記センタポスト部材から取り出して少なくとも１個の新フィルタディスクと置換することができる、前記フィルタアセンブリの外側の離れた位置である、請求項１に記載の機器。
【請求項６】
前記アタッチメント部材が、協同するねじ山を有するアイボルトアセンブリであり、前記センタポスト部材の前記第１位置上に形成した対応ねじ山とかみ合う、請求項１に記載の機器。
【請求項７】
前記アタッチメント部材が、前記アタッチメント部材と協同するねじ山を有する旋廻ホイストリングアセンブリであり、前記ねじ山が前記センタポスト部材の前記第１端部上に形成した対応ねじ山とかみ合うために存在する、請求項１に記載の機器。
【請求項８】
前記センタポスト部材の前記第１端部に溶接したリフティングアイを有する、請求項１に記載の機器。
【請求項９】
前記アタッチメント部材が、前記少なくとも１個のフィルタディスクに形成した中心開口より小さい外形を有することにより、前記少なくとも１個のフィルタディスクを前記アタッチメント部材上で滑らせる、請求項１に記載の機器。
【請求項１０】
前記アダプタ部材が、少なくとも１４個のフィルタディスクを支持するように形成した、請求項１に記載の機器。
【請求項１１】
前記アダプタ部材が、少なくとも５６個のフィルタディスクを支持するように形成した、請求項１０に記載の機器。
【請求項１２】
前記アダプタ部材が、内部に雌ねじを有し、前記センタポストの前記第２端部上に形成した対応雄ねじと作動可能にかみ合う、請求項１に記載の機器。
【請求項１３】
前記アダプタ部材が、内部に形成した少なくとも１つの開口を有し、前記アダプタ部材を貫通する流路を有する、請求項１に記載の機器。
【請求項１４】
前記少なくとも１つの開口が、半円形である、請求項１３に記載の機器。
【請求項１５】
前記少なくとも１個のフィルタディスクが、前記少なくとも１個のフィルタディスクを前記センタポスト部材の前記第１端部上で滑らせることにより、前記センタポスト部材に対し作動可能に相対的に位置する、請求項１に記載の機器。
【請求項１６】
内側チャンバ、中心軸、および底部を有するハウジングと、対向するアッパ面とロア面、および少なくとも入口部と出口部を有するベース部材と、前記アッパ面が前記ハウジングの前記底部と密封してかみ合うように作動し、
前記ベース部材の前記少なくとも１つの出口部内で密封してかみ合う少なくとも１つのインサートアセンブリと、を有し、
ここで前記インサートアセンブリが、
前記ベース部材の前記アッパ面とかみ合うアッパ面と、
上部にかみ合う少なくとも１個のフィルタディスクを有するセンタポストアセンブリと密封してかみ合うための中心開口と、前記中心開口が、前記センタポストアセンブリがかみ合いを解除することにより内側チャンバの洗浄を容易にする際に、前記インサートアセンブリを貫通しクレビスの無い流路を備えるフィルタアセンブリ。
【請求項１７】
前記ベース部材の前記アッパ面が、周囲に沿って位置する隆起部と前記インサートアセンブリに隣接して位置する低部とを有する、請求項１６に記載のフィルタアセンブリ。
【請求項１８】
前記アッパ面が、前記底部に関して所定の角度で前記隆起部と底部の間の遷移部を有する、請求項１７に記載のフィルタアセンブリ。
【請求項１９】
前記ベース部材の前記アッパ面が、前記アッパ面の周囲に沿って位置する隆起部と中心区域とを含み、前記隆起部が前記ハウジングの前記底部とかみ合いかつ凹面で前記中心区域に接続する、請求項１６に記載のフィルタアセンブリ。
【請求項２０】
前記センタポストアセンブリが、
第１端部および第２端部を有するセンタポスト部材と、
前記センタポスト部材の前記第１端部と作動可能にかみ合うアタッチ部材と、前記アタッチ部材が、前記センタポストアセンブリに接続しかつ前記少なくとも１つのインサートアセンブリからかみ合いを解除するための手段を含み、
前記センタポスト部材の前記第２端部に作動可能に接続し、かつ前記センタポスト部材に動作可能に相対的に位置する前記少なくとも１個のフィルタディスクを支持するアダプタ部材とを有し、前記アダプタ部材が、前記センタポストアセンブリが設置された位置に存在する際に、前記インサートアセンブリの前記中心開口に密封してかみ合う、
請求項１６に記載のフィルタアセンブリ。
【請求項２１】
アダプタ部材が、オーリングを受容して前記インサートアセンブリの前記中心開口との前記アダプタ部材の密封かみ合いを容易にするため前記アダプタ部材の外側部に形成した少なくとも１つの周囲溝を有する、請求項２０に記載のフィルタアセンブリ。
【請求項２２】
アダプタ部材が、前記センタポスト部材が前記設置位置にある際に、前記アダプタ部材を貫通する流路を備えるために内部に形成した少なくとも１つの開口を有する、請求項２１に記載のフィルタアセンブリ。
【請求項２３】
前記少なくとも１つの開口が、半円形である、請求項２２に記載のフィルタアセンブリ。
【請求項２４】
フィルタディスクを第１の位置から第２の位置へ取り扱う方法が、
少なくとも１個のフィルタディスクを準備する工程と、
前記少なくとも１個のフィルタディスクを取扱い機器上に作動可能に位置する工程と、
ここで、前記取扱い機器が、
第１端部および第２端部を有するセンタポスト部材と、
前記センタポスト部材の前記第１端部と作動可能にかみ合い、かつ第１位置から第２位置への少なくとも１個のフィルタディスクの前記持ち上げを容易にするための手段を含むアタッチメント部材と、
前記センタポスト部材に動作可能に相対的に位置する前記少なくとも１個のフィルタディスクを支持するために、前記センタポスト部材の前記第２端部に動作可能に接続したアダプタ部材と、を有し、
前記取扱い機器をホイスト装置に取り付ける工程と、
前記取扱い機器および前記少なくとも１個のフィルタディスクを垂直に持ち上げる工程と、
前記少なくとも１個のディスクを前記第１位置から前記第２位置へ再設置する工程と、
を有する、方法。
【請求項２５】
フィルタディスクの取扱い機器が、
第１端部および第２端部を有する細長いポスト部材と、
前記細長いポスト部材の前記第１端部に作動可能に接続したアタッチメント部材と、アタッチメント部材が設置位置から離れた位置へ前記取扱い機器の前記吊り上げを容易にする手段を備え、前記設置位置が、前記取扱い機器が作動可能に位置する際に、フィルタハウジング内に存在し、かつ前記離れた位置が前記フィルタハウジングの外側の位置であり、
前記細長いポスト部材の前記第２端部に作動可能に接続するアダプタ部材と、前記アダプタ部材が前記細長いポスト部材に作動可能に相対的に位置する少なくとも１個のフィルタディスクを支持し、
少なくとも１個のフィルタディスクを前記設置位置から前記離れた位置へ搬送することができるように前記取扱い機器を垂直に持ち上げるためのアタッチメント部材に作動可能に接続した吊り上げ装置と、
を有する、機器。
【請求項２６】
前記吊り上げ装置が、電動ホイストを有する、請求項２５に記載の機器。
【請求項２７】
前記吊り上げ装置が、手動操作チェーンホイストである、請求項２５に記載の機器。
【請求項２８】
前記離れた位置が、前記少なくとも１個のフィルタディスクを取り出して新フィルタディスクに置換することができる場所である、請求項２５に記載の機器。
【請求項２９】
前記アタッチメント部材が、協同するねじ山を有するアイボルトアセンブリであり、前記細長いポスト部材上に形成した対応ねじ山とかみ合う、請求項２５に記載の機器。
【請求項３０】
前記アタッチメント部材が、協同するねじ山を有する旋廻ホイストリングアセンブリであり、前記ねじ山が前記細長いポスト部材の前記第１端部上に形成した、請求項２５に記載の機器。
【請求項３１】
前記アタッチメント部材が、前記細長いポスト部材の前記第１端部に溶接した吊り上げアイボルトを有する、請求項２５に記載の機器。
【請求項３２】
前記アタッチメント部材が、前記少なくとも１個のフィルタディスクに形成した中心開口より小さい外径を有することにより、前記少なくとも１個のフィルタディスクを前記アタッチメント部材を越えて滑らせる、請求項２５に記載の機器。
【請求項３３】
前記アダプタ部材が、少なくとも１４個のフィルタディスクを支持するように形成する、請求項２５に記載の機器。
【請求項３４】
前記アダプタ部材が、少なくとも５６個のフィルタディスクを支持するように形成する、請求項３３に記載の機器。
【請求項３５】
前記アダプタ部材が、内部に形成した雌ねじを有し、前記細長いポスト部材の前記第２端部上に形成した対応雄ねじとかみ合う、請求項２５に記載の機器。
【請求項３６】
前記アダプタ部材が、内部に形成した少なくとも１つの開口を有し、前記少なくとも１つの開口が前記アダプタ部材を貫通する流路を備える、請求項２５に記載の機器。
【請求項３７】
前記少なくとも１つの開口が、半円形である、請求項３６に記載の機器。
【請求項３８】
内側チャンバ、中心軸、および底部を有するハウジングと、対向するアッパ面とロア面を有し、かつ少なくとも１つの入口部と出口部とを有するベース部材と、前記アッパ面が前記ハウジングの前記底部と密封してかみ合うように作動し、
前記ベース部材の前記少なくとも１個の出口部内に密封してかみ合う少なくと１つのインサートアセンブリと、
ここで、前記インサートアセンブリが、
前記ベース部材の前記アッパ面とかみ合うアッパ面と、
作動可能にその上に位置する少なくとも１個のフィルタディスクを有する前記センタポストアセンブリと密封してかみ合う中心開口と、前記中心開口が、前記センタポスト部材が前記ベース部材とのかみ合いを解除する際に、前記インサートアセンブリを貫通するクレビスの無い流路を備えることにより、前記内側チャンバの前記洗浄を容易にし、
を有し、
内部に作動可能に形成した中心開口を有する少なくとも１個のフィルタディスクと、
センタポストアセンブリと、
ここでセンタポストアセンブリが、
第１端部と第２端部を有するセンタポスト部材と、
前記センタポストアセンブリを作動可能に接続し前記少なくとも１つのインサートアセンブリから前記センタポストアセンブリを解除するために、前記センタポスト部材の前記第１端部に作動可能に接続したアタッチ部材と、
前記少なくとも１個のフィルタディスクが前記センタポスト部材上に作動可能に位置する際に、前記少なくとも１個のフィルタディスクを支持するために、かつ前記センタポスト部材が前記ハウジング内で設置位置に存在する際に、前記中心開口と密封してかみ合うために、前記センタポスト部材の前記第２端部に作動可能に接続したアダプタ部材と、
を有するフィルタアセンブリ。
【請求項３９】
前記ベース部材の前記アッパ面が、前記インサートアセンブリに向けて下方に傾斜している、請求項３８に記載のフィルタアセンブリ。
【請求項４０】
前記ベース部材の前記アッパ面が、前記アッパ面の周囲に沿って位置する隆起部と中心区域とを含み、前記隆起部が、前記ハウジングの前記底部とかみ合い、かつ凹面により前記中心区域に接続する、請求項３８に記載のフィルタアセンブリ。
【請求項４１】
前記アダプタ部材が、オーリングを受容して、前記インサートアセンブリの前記中心開口との前記アダプタ部材の前記密封かみ合いを容易にするために、前記アダプタ部材の外側部に形成した少なくとも１つの周囲溝を有する、請求項３８に記載のフィルタアセンブリ。
【請求項４２】
前記アダプタ部材が、前記センタポスト部材が設置位置に存在する際に前記アダプタ部材を貫通する流路を備えるために、内部に形成した少なくとも１つの開口を有する、請求項４１に記載のフィルタアセンブリ。
【請求項４３】
前記少なくとも１つの開口が、半円形である、請求項４２に記載のフィルタアセンブリ。
【発明の詳細な説明】
【０００１】
関連出願の相互参照
この出願は、ブレーズ外（Ｂｌａｚｅ ｅｔ ａｌ）の２０００年８月２９日に出願された出願番号第６０／２２８，５９０号米国仮出願の継続出願である。この出願の開示事項は本開示と矛盾しない程度に本明細書に参照により取り込んでいる。
【０００２】
開示の背景
本開示は、流体がろ過のために通過する取り出し可能なセルタイプフィルタのような積層ディスクを複数の異なるハウジングのいずれかに設置し、そこから積層ディスクを取り出し、かつ積層ディスクを搬送することを容易に行う装置、機器および方法に関する。本開示は、さらに詳細には、取り出し可能なセルタイプフィルタカートリッジのような積層ディスクを複数の異なる取り出し可能なセルタイプフィルタカートリッジハウジングのいずれかに取り付け、そこから取り出して搬送することを容易に、安全にかつ効率的に行う装置、機器および方法に関する。本開示は、最も詳細には、セルタイプフィルタカートリッジのような積層ディスクを複数の異なる取り出し可能なフィルタカートリッジハウジングに設置し、それから取り出しかつ搬送することを、容易に、安全にかつ効率的に行うための改良されたセンタポストに関する。
【０００３】
セルタイプフィルタカートリッジは、長い間知られ、種々のろ過用途にますます使用されるようになっている。このタイプのフィルタカートリッジは、典型的に、通常環状空間で相互から分離される２層のろ材を持つ個々のセルから製作される。液体は、典型的に、センタポイントが位置するセル中心部に向けてろ材の外側からろ材層の間の空間へ流れる。セルタイプフィルタカートリッジの顕著な効果は、組立てられたセルタイプフィルタカートリッジの全容積に比較して、ろ材の表面積がかなり大きいことである。
【０００４】
各ろ材の間に配置されて存在するのが、スポーク状パターンで中心開口から半径方向に伸張するリブを有する円板形に典型的に形成されたセパレータである。２層のろ材を分離するに加えて、セパレータはろ材からろ材の中心開口に向けて流体の流れを与える。
【０００５】
セパレータディスクは、従来のように、セルの中心開口に形成された剛直化部材を有する。剛直化部材は、複数の分離リブに取り付けられ、リブに相当の片持ち梁強さを与えるに十分な剛直なボックス状構造を提供する。さらに、剛直ディスクの１つは、従来のように、ろ過媒体の媒体浸入を防ぎかつろ過液で流路領域をふさがないために負荷面として作用するようにセパレータリブの近位端に位置する。従って、この種類のセパレータの１つの顕著な効果は、使用中にろ材の侵食が排除されることである。
【０００６】
一般的には、前述のフィルタカートリッジは通常の操作条件で予期されるように機能する。長期間の使用後に予期され得るように、フィルタは目詰まりし、流速がそれによって減少する。そこで、一般的には、最上部のフィルタセルの周囲または端部を掴んでフィルタカートリッジを取り替え、次に、取り付けたフィルタをフィルタハウジングから離してセンタポストの上方に注意深く吊り上げる。この方法は、取り付けたフィルタセルのいずれも破断しないために、個々の湿潤セルの強さに頼ると共に、複数のフィルタセルを接続するバンドの強さに頼っている。上述の方法は、乾燥フィルタカートリッジの重量に比較して湿潤フィルタカートリッジの重量が重いので、問題がある。この増加負荷は一般的にカートリッジの中心に向けて集中し、従って吊り上げ操作中にカートリッジが分離する可能性が生じる。
【０００７】
フィルタハウジングからの取り出し中に破断する湿潤フィルタカートリッジによっていくつかの問題が発生する。第一に、カートリッジが未だハウジングの近辺に存在する間に破断する場合、フィルタで除去した微粒子物体がハウジングに再度入り込む可能性があり、従ってハウジング内と周辺の追加洗浄操作を必要とする。
【０００８】
米国特許第５，６０７，５８４号明細書に開示されるように、フィルタセルカートリッジに作動可能に配置されたハンドルを含むフィルタカートリッジアセンブリのような疎な物品を吊り上げて搬送するためのハンドルを準備することが知られている。この開示事項は本開示に矛盾しない程度に参照により本明細書に取り込んでいる。しかしながら、先行技術は、フィルタカートリッジドームを取除いた後、オペレータがフィルタカートリッジをその操作位置から人力で吊り上げずに、かつそのフィルタカートリッジをその操作位置から取り出した位置へ手作業で搬送することなしに、フィルタカートリッジを所定の位置から取り出す手段を提供しない。カートリッジを操作位置から手作業により取り出すとき、重いカートリッジを搬送すると共にフィルタの外側に有毒物質が付着している可能性がある間にオペレータが階段を使用することが多いので、吊り上げ機器を含む装置と、オペレータがセルタイプフィルタカートリッジを手作業で搬送する必要のないかつセルタイプフィルタカートリッジをハウジングに先ず設置し、取り出しそして取り替えるに必要な全時間を短くするための吊り上げ機器を使用する方法とが望まれている。
【０００９】
公知のように、多くの製剤、食品および飲料のろ過処理装置が、衛生、消毒殺菌および洗浄の目的でフィルタハウジングにクリーンインプレイス（ＣＩＰ）およびスチームインプレイス（ＳＩＰ）操作を行う。ハウジングの内部設計事項は、時間と衛生の点でＣＩＰ処理の効率に大きく影響する。ＣＩＰ処理に先立ち、フィルタカートリッジをフィルタハウジングから取り出さなければならない。それゆえ、条件付のＣＩＰ操作に先立ち迅速かつ容易に汚れたカートリッジおよび他の関連する内部構成成分を取り出すことが望ましい。たとえば本出願の譲受人によって製造されたようなゼータプラス・カートリッジおよび他の同様なカートリッジは、その物理的寸法と重量に起因する特定の関係を引起す。たとえば、シングル４０．６４ｃｍ（１６ｉｎ）ゼータプラス・カートリッジは飽和したとき約２２．７ｋｇ（５０ｌｂ）の重量になり得、カートリッジ交換を完了するために少なくとも２人およびかなりの時間を必要とし、かなりの設備ダウンタイムが発生する。
【００１０】
カートリッジ取り出し問題を解決するために従来から試みが成されてきた。この点では、本出願の譲受人であるキュノ株式会社はバスケット／ケージおよびゼータグリップ（登録商標）吊り上げ装置を開発した。清浄能力を改良する試みも従来から行ってきた。この点では、ザイツ（Ｓｅｉｔｚ）は、フィルタカートリッジと共に不可欠であるダブルオーリングプラグインコネクタを提供している。
【００１１】
目下、使用済みカートリッジのオペレータによる直接吊り上げを排除するために上記のアクセサリ装置を使用することができる。アクセサリは、洗浄に困難性を増すケージのようなハウジング内に、またはたとえばゼータグリップ（登録商標）吊り上げ装置のように外部に取り付けることができる。この装置は、積層ディスクを搬送する吊り上げ装置の名称で１９９８年８月１２日に出願番号第０９／１３３，０１３号にて出願された明細書に記述、特許請求され、この出願は今では２０００年１０月３１日発行の米国特許第６，１３９，２５３号であり、この開示事項は本開示と矛盾しない程度に参照により本明細書に取り込んでいる。
【００１２】
しかしながら、これらの装置は全て重大な欠点を有する。特に、取り出し可能なセンタポストを持つ３０．５ｃｍ（１２ｉｎ）および４０．６ｃｍ（１６ｉｎ）直径カートリッジは、典型的に、シングルカートリッジをセンタポストの上方でそれより上部へ吊り上げて取り出す。全てのカートリッジを取り出した後に、センタポストを洗浄するためにハウジングから取り出すことができる。センタポストのハウジングベースに対するアタッチメントは幾つかの欠点を有する。現在のセンタポストは、通常ハウジングベースに対して取り付けるためにねじ込んである。これら既知のステンレスセンタポスト（たとえば３１６ステンレススチール）は、毎回センタポストが取り出されるステンレスハウジングベース（たとえば３１６ステンレススチール）に摩損する可能性がある。センタポストと相互に作用する普通のハウジングベースに位置する雌ねじ付きめくら孔は、目下、ＣＩＰ操作中に洗浄することができない。一般に、ろ過液の出口流路は、ＣＩＰによってまたはハウジング出口配管を分解せずに十分に洗浄することができない、３つの半円形のくもの巣状開口からなる。さらに、ハウジング出口ノズルは、典型的に、ハウジングの外側からハウジングベースに片面溶接してあり、如何なる手段でも洗浄することのできない内部クレビスが生じる。
【００１３】
上述の欠点は関係ないように見えるかもしれない。しかしながら、欠点は、全て、センタポストがハウジングベースの中心にねじ込んであることおよび積層カートリッジの中心を貫いて上方に通っていることに起因している。センタポストは、それのみであるいはケージまたはゼータグリップ（登録商標）吊り上げ装置と共に使用することができる。
【００１４】
キュノ・ケージにより、ホイストおよびチェーンを使用して１つの３０．５ｃｍ（１２ｉｎ）直径または４０．６ｃｍ（１６ｉｎ）直径の積層カートリッジ（４段高さまで）の取り出しが出来る。ハウジングからいったん取り出すと、カートリッジをケージから取り出すためにオペレータが取り扱わなければならない。ケージの使用により、ろ過工程の間に圧力容器で囲まなければならない大形の特別なハードウェアが必要になる。ケージの振動により、磨き上げたハウジングと磨き上げたベッセルシェルに損傷が生じる。ケージを洗浄するために圧力容器から取り出すことが出来る。しかしながら、ケージは洗浄が極めて困難ないくつかのクレビスを含有する。ケージと共に、追加するハードウェアがハウジングヴェッセルに囲まれるので、スチームインプレイス（ＳＩＰ）操作はさらに困難である。終わりに、ケージは容易に損傷を受ける可能性のあるステンレススチールワイヤにより製作される。
【００１５】
ゼータグリップ（登録商標）吊り上げ装置により、ホイストを用いて１つの３０．５ｃｍ（１２ｉｎ）または４０．６ｃｍ（１６ｉｎ）直径カートリッジを取り出すことが出来る。１つの効果は、オペレータがカートリッジの如何なる処理をも必要としないことである。ホイストを用いて１度に１つのカートリッジを取り出すことは極めて非能率的である。さらに、ゼータグリップ（登録商標）吊り上げ装置は適正操作のために非常に広い垂直空間を必要とする（ハウジングベッセルドームの上部に約１１４ｃｍ（４５ｉｎ））。ゼータグリップ（登録商標）吊り上げ装置は物理的に大きい（重量が約２２．７ｋｇ（５０ｌｂ）で寸法がおよそ５０．８ｃｍ×５０．８ｃｍ×１１４ｃｍ（２０ｉｎ×２０ｉｎ×４５ｉｎ））。終わりに、ゼータグリップ（登録商標）吊り上げ装置はハウジングと一体ではなく、ハウジングを使用するときにはハウジングから離れたところに保管しなければならない。
【００１６】
ザイツ（Ｓｅｉｔｚ）はフィルタカートリッジと一体であるダブルオーリングプラグインコネクタを提供する。ダブルオーリングプラグインコネクタにより、かみ合わせロックコネクタに類似のロッキングタブの使用がハウジングに保証される。この方法は、実際に、センタポストの欠如、締め付けナットおよびねじ山ような一部の洗浄問題を救済するけれども、この方法は、また、洗浄することが困難である内部ロッキングタブ凹所のような他の部分を発生する。ダブルオーリングプラグインコネクタの特徴はカートリッジの取り出しを支援しない。
【００１７】
上述の機器を使用した場合、現在のゼータプラス装置および類似装置はフィルタカートリッジの取り出しに多くの時間を必要とする。さらに、現在のカートリッジおよびハウジング装置はＣＩＰまたはＳＩＰに操作的に好都合でない。上述の問題に対する解答を引出すことにより、工程設備メンテナンス期間の相当のダウンタイムが節約される。
【００１８】
従って、新規に設置し、ハウジング内容物を取り出した後に、ろ過操作に使用したセルタイプフィルタカートリッジのような使用済み積層ディスクをハウジング内の操作位置から使用後に取り出し、次に、その使用済み積層ディスクを搬送することを容易に、安全にかつ効率的に行う改良装置および方法に対する絶えざる必要性が存在する。そのような装置および方法は、積層ディスクの手作業による吊り上げおよび搬送を回避するべきである。危険または有毒の可能性のある物質とオペレータとの接触を低減するために、かつセルタイプフィルタディスクの外面に集積する可能性があり注意を要する毒性物質または危険物質でフィルタハウジングの周囲が汚染されることを低減するために、そのような装置および方法により、オペレータとセルタイプフィルタディスク間の直接接触を排除するあるいは少なくとも軽減するべきである。そのような装置および方法により、オペレータを必要とするいかなる重量物吊り上げをも排除するべきでありあるいは最小にする努力をするべきであり、これによってより安全な作業環境に寄与するべきである。そのような装置および方法により、セルタイプフィルタカートリッジの交換に要する総括時間を低減することにより交換に帰することが出来るダウンタイムを低減する努力をするべきである。そのような装置および方法により、新しい取替えセルタイプフィルタカートリッジをフィルタハウジング内に入れるとき、より清浄で汚れのより少ないフィルタ面を与えるべきである。そのような装置および方法により、フィルタハウジングベースを単純化することにより洗浄液および蒸気の流動性を高めるべきである。そのような装置および方法により、真に製薬グレードのゼータプラス・フィルタハウジング設計を生み出すべきである。
【００１９】
開示の概要
本出願の目的は、セルタイプフィルタカートリッジの手動による取り出しおよび運搬を、回避しないにしても、著しく軽減する装置および方法を提供することである。
【００２０】
本出願の別の目的は、容易に、安全にかつ効果的に、使用済みセルタイプフィルタカートリッジを取り出してフィルタハウジング内の初めの操作位置から離れた位置へ搬送する装置および方法を提供することである。
【００２１】
本出願のなお別の目的は、迅速に、容易に、安全にかつ効果的に、離れた位置からフィルタハウジングユニット内の初めの操作位置へ新しいセルタイプフィルタカートリッジを設置する装置および方法を提供することである。
【００２２】
本出願のさらなる目的は、オペレータが使用済みセルタイプフィルタカートリッジ上に含まれる可能性のある有毒物質と接触することを最小限にする装置および方法を提供することである。
【００２３】
本出願のさらに別の目的は、フィルタハウジング周囲の汚染を最小にする装置および方法を提供することである。
【００２４】
本出願のなおさらなる目的は、フィルタハウジング内のセルタイプフィルタカートリッジの交換に要する総時間を減少する装置および方法を提供することである。
【００２５】
本出願のなお別の目的は、効率的にＣＩＰ操作および／またはＳＩＰ操作を行う装置および方法を提供することである。
【００２６】
これらのおよびさらなる目的に関し、本出願の一側面はフィルタディスクを取り扱う機器を含み、その取扱い機器は、対向する第１端部および第２端部を有するセンタポストと、アタッチメント部材とアダプタ部材とを有する。アタッチメント部材は、センタポスト部材の第１端部に作動可能に接続し、作動可能に取扱い機器に接続または付着し、かつセンタポスト部材を第１位置から第２位置へ吊り上げる手段を提供する。アダプタ部材は、作動可能にセンタポスト部材の第２端部に接続し、センタポスト部材上を第１端部上方で滑る少なくとも１個のフィルタディスクを支持する。
【００２７】
取扱い装置は、さらに、少なくとも１個のフィルタディスクを第１位置から第２位置へ搬送することが出来るように、取扱い機器を垂直に吊り上げるためのアタッチ部材に作動可能に接続する吊り上げ装置を含む。１つの実施例では、吊り上げ装置は電動ホイストである。あるいは、吊り上げ装置は、手動操作チェーンホイスト、ブリッジクレーンまたは吊り上げ操作に用いるいずれかの別の機械装置であることがある。
【００２８】
目下、第１位置はフィルタアセンブリ内の設置位置であることが好まれる。この位置で、流体は、センタポスト部材上を滑り落ちそれにより調整された少なくとも１個のフィルタディスクを通過する。この実施例では、第２位置は、少なくとも１個のフィルタディスクが取り出されて新しいフィルタアセンブリに取り替えられた、フィルタアセンブリの外側の離れた位置である。
【００２９】
アタッチメント部材は、センタポスト部材の第１端部上に形成された対応ねじ山とかみ合うように協同するねじ山を有するアイボルトアセンブリである。あるいは、アセンブリ部材は、センタポスト部材と協同する対応ねじ山とかみ合う協同ねじ山を有する旋廻ホイストリングアセンブリである。なおさらに、アタッチメント部材は、センタポスト部材の第１端部に溶接されたリフティングアイを含むことがある。
【００３０】
好ましくは、アタッチメント部材は、少なくとも１個のフィルタディスクに形成された中心開口より小さい外径を有し、これにより少なくとも１個のフィルタディスクがアタッチメント部材を越えて滑り落ちる。
【００３１】
この実施例では、アダプタ部材を、少なくとも１４個のフィルタティスクを支持するように形成することが好ましい。しかしながら、アダプタ部材は、少なくとも５６個のフィルタディスクを支持するように形成することができる。この実施例では、アダプタ部材は、センタポスト部材の第２端部上に形成した雄ねじと作動可能にかみ合うように形成した対応雌ねじを有する。
【００３２】
アダプタ部材は、さらに、アダプタ部材を貫通する流路を与える、内部に形成した少なくとも１つの開口を含む。アダプタ部材に形成した開口は、円形、半円形、またはクレビスのない流路を与えるに適するいずれかの形状のことがある。
【００３３】
本開示の別の側面は、ハウジング、ベース部材および少なくとも１つのインサーと部材を含む。ハウジングは内側チャンバ、センタ軸およびボトム部を有する。ベース部材は、対向するアッパ面とロア面と、少なくとも１つの入口部と１つの出口部を有し、アッパ面はハウジングの底部を密封してかみ合うように作動する。
【００３４】
少なくとも１つのインサートアセンブリはベース部材の少なくとも１つの出口部内で密封してかみ合っている。インサートアセンブリは、ベース部材のアッパ面とかみ合うアッパ面と中心開口を含む。中心開口シーリングは、その上でかみ合う少なくとも１個のフィルタディスクを有するセンタポストアセンブリとかみ合う。中心開口は、また、センタポストアセンブリを取り外すとき、インサートアセンブリを貫通するクレビスのない流路を与える。この流路により内側チャンバの洗浄が容易になる。
【００３５】
ベース部材のアッパ面は、周囲には隆起部をかつインサートアセンブリに隣接する位置にはロア部を有することが目下好ましい。さらにこの実施例では、アッパ面は、さらに、隆起部とロア部の間に位置する遷移部を含み、遷移部はロア部に関して所定の角度で存在する。この形状により、ベース部材の外側周辺部からインサートアセンブリへの流体または洗浄物質の流れが容易になる。
【００３６】
あるいは、ベース部材のアッパ面は、周囲に沿って位置する隆起部と中心区域とを含むことがある。隆起部はハウジングの底部と密封してかみ合うように適合し、凹形面により中心区域に接続している。
【００３７】
さらに、センタポストアセンブリは、目下、センタポスト部材と、アタッチメント部材と、アダプタ部材とを有することが好ましい。センタポスト部材は第１端部と第２端部を有する。アタッチメント部材はセンタポスト部材の第１端部と作動可能にかみ合っており、センタポストアセンブリに接続または付着しかつ少なくとも１つのインサートアセンブリからセンタポストアセンブリを取り外す手段を与える。
【００３８】
この形状では、アダプタ部材はセンタポスト部材の第２端部位置に作動可能に接続している。アダプタ部材は、第１端部を越えてセンタポスト部材上を滑り落ちる少なくとも１個のフィルタディスクを支持し、かつまた、センタポストアセンブリが設置位置に存在するとき、インサートアセンブリの中心開口と密封してかみ合っている。
【００３９】
さらに、アダプタ部材は、周囲に沿って、その外側部に形成した少なくとも１つの周囲溝を含む。溝は、アダプタ部材のインサートアセンブリ中心開口との密封かみ合いを容易にするオーリングを受けるように適合しかつ形成する。さらになお、アダプタ部材は、センタポスト部材が設置位置に存在するとき、アダプタ部材を貫通する流路を備えるために、その中に形成された少なくとも１つの開口を含む。前述のように開口は円形または半円形のことがある。
【００４０】
本開示のなお別の側面は、フィルタディスクを初めの位置から第２位置へ取り扱う方法を含む。この方法は、移動する少なくとも１個のフィルタディスクを準備する工程と、少なくとも１個のフィルタディスクを取扱い機器上に滑らせる工程と、取扱い機器にホイスト装置を取り付ける工程と、取扱い機器と少なくとも１個のフィルタディスクとを垂直に持ち上げる工程と、少なくとも１個のディスクの初めの位置から第２位置への移動を達成する工程とを含む。
【００４１】
フィルタディスクの第１位置から第２位置への移動に使用する取扱い機器は、第１端部および第２端部と、アタッチメント部材と、アダプタ部材とを有するセンタポスト部材を含む。アタッチメント部材は、センタポスト部材の第１端部と作動可能にかみ合っており、取扱い機器に接続して始めの位置から第２位置へその機器の吊り上げを容易にする手段を備えている。アダプタ部材は、センタポスト部材の第２端部に作動可能に接続しており、第１端部を越えてセンタポスト部材上を滑る少なくとも１個のフィルタディスクを支持する。
【００４２】
本開示のさらになお別の側面はフィルタディスクを取り扱う機器を含み、取扱い機器は、第１端部および第２端部と、アタッチメント部材と、アダプタ部材とを有する細長いポスト部材を有する。アタッチメント部材は、細長いポスト部材の第１端部に作動可能に接続し、かつ、取扱い機器に接続して設置位置から離れた位置へのその吊り上げを容易にする手段を備える。前述の実施例から説明されるように、取扱い機器がフィルタハウジング内に作動可能に位置するときは、その機器は設置位置に存在するのであり、かつ、その機器がフィルタハウジングの外側に位置するときは、その機器は「離れた」位置に存在するのである。
【００４３】
さらに、アダプタ部材は、細長いポスト部材の第２端部に作動可能に接続し、かつ、第１端部を越えて細長いポスト部材の上を滑る少なくとも１個のフィルタディスクを支持する。少なくとも１個のフィルタディスクが設置位置から離れた位置へ移動することができるように、吊り上げ装置は取扱い機器を垂直に上げるためのアタッチメント部材に作動可能に接続している。
【００４４】
既述の実施例と同じように、吊り上げ装置は、電動ホイスト、手動チェーンホイスト、または吊り上げに適する任意の他の機械装置を含むことがある。さらに、アタッチメント部材は、細長いポスト部材の第１端部上に形成されたねじ山とかみ合うように協同する対応ねじ山を有する、アイボルトまたは旋廻ホイストリングアセンブリであることがある。あるいは、アタッチメント部材は細長いポスト部材の第１端部に溶接されたリフティングアイであることがある。好ましくは、アタッチメント部材は、少なくとも１個のフィルタディスクに形成された中心開口より小さい外径を有することにより、少なくとも１個のフィルタディスクがアタッチメント部材を越えて滑る。
【００４５】
アダプタ部材は、少なくとも１４個のフィルタディスクを支持するように形成し、かつ少なくとも５６個のフィルタディスクを支持するように形成することがある。なおその上さらに、アダプタ部材は、細長いポスト部材の第２端部上に形成した対応雄ねじと作動可能にかみ合うために内部に形成された雌ねじと、流路を備えるための少なくとも１つの開口とを含む。
【００４６】
本開示のなおさらに別の側面は、ハウジングと、ベース部材と、少なくとも１個のフィルタディスクと、センタポストアセンブリと、少なくと１つのインサートアセンブリとを有するフィルタアセンブリを含む。ハウジングは内側チャンバと、中心軸と、底部とを含む。ベース部材はアッパ面およびロアー面と、少なくとも１つの入口部および１つの出口部を含む。アッパ面はハウジングの底部と密封してかみ合うために作動する。少なくとも１個のフィルタディスクは、ディスクがセンタアセンブリと滑動可能にかみ合うように、内部に作動可能に形成されたセンタ開口を有する。
【００４７】
目下好ましくは、センタポストアセンブリは、第１端部と第２端部を有するセンタポスト部材と、アタッチメント部材と、アダプタ部材とを含む。アタッチメント部材は、センタポストアセンブリを作動可能に接続して少なくとも１つのインサートアセンブリからそれを取り外すように、センタポスト部材の第１端部に作動可能に接続している。アダプタ部材は、少なくとも１個のフィルタディスクがセンタポスト部材上に作動可能に位置するとき、少なくとも１個のフィルタディスクを支持するためセンタポスト部材の第２端部に作動可能に接続しており、かつ、センタポスト部材がハウジング内で設置位置に存在するときは、中心開口と密封してかみ合っている。
【００４８】
少なくとも１つのインサートアセンブリは、ベース部材の少なくとも１つの出口部内に密封してかみ合っており、かつ、ベース部材のアッパ面とかみ合うアッパ面を含む。センタポストアセンブリとの密封かみ合いのための中心開口は、その上に作動可能に位置する少なくも１個のフィルタディスクを有する。センタポスト部材を取り出すことにより内側チャンバの洗浄を容易にするとき、中心開口はインサートアセンブリを貫通するクレビスのない流路を備える。ベース部材のアッパ面はインサートアセンブリに向けて下向きに傾斜していることが目下好ましい。
【００４９】
本出願の別の目的と効果は以下の記載、付随する図面、および付属のクレームから明白である。
【００５０】
実施例の詳細な説明
図１〜図１１に示すように、本出願に開示する装置１００は、スプリットドームハウジングおよびマルチラウンドハウジングへの種々のカートリッジの始めの設置とそれらからの取り出しに使用する。装置１００はＣＩＰ操作および／またはＳＩＰ操作の容易化に特に有効である。
【００５１】
本開示の装置１００は、複数のセルタイプフィルタアセンブリ１４を、設置し、始めの操作位置から取り出し、そこから離れた位置へ搬送するフィルタディスク取り扱い機器１０を含む。フィルタディスク取扱い機器１０は、図４、図５Ｄ、図７、および図１１に示すセンタポスト部材３０を含み、設置、取り出し及び搬送のモードで使用のとき、機器１０は、さらに、機器に作動可能に部材３０上に位置決めしたカップリング１８とアタッチメント部材２０を含む。本明細書に示すように、カップリング１８とアタッチメント部材２０は、ツーピース構造体からなる。しかしながら、これらは単一構造体として形成されることがある。図４に示す実施例では、アタッチメント部材２０は、センタポスト部材３０のカップリング１８とねじ山でかみ合うアイボルトである。
【００５２】
本開示のフィルタディスク取扱い機器１０および方法の１つの新規で特有の構成成分は、図１、図４、図５Ｄ、図６、図７に示すように、カップリング１８とアタッチメント部材２０とから対向するセンタポスト３０の端部に作動可能に接続するアダプタ部材４０である。センタポスト３０は、目下好ましくは、たとえば、センタポスト３０の端部に作動可能に位置決めしたスクリュのような雄部材の、アダプタ部材４０に作動可能に位置決めした雌部材内への接続によって、アダプタ部材４０に作動可能に接続している。接続およびアダプタ部材４０の詳細を以下に記述する。
【００５３】
図１〜図３に示すように、１つの代表的カートリッジ取り出し装置１００は、代表的積層セルタイプフィルタカートリッジの内部に位置し、ホイスト８０に作動可能に接続することができる（図３のみに示す）。図１はハウジングベース５０の少し上方に吊るした積層セルタイプフィルタカートリッジ１４を示す。フィルタディスク取扱い機器１０は、センタポスト３０とアダプタ部材４０を含み、ハウジングベース５０とかみ合う位置に存在する、あるいは、積層セルタイプフィルタカートリッジが目詰まりしている場合は、積層セルタイプフィルタカートリッジ１４の間からセンタポスト３０を取り出すために、図示する位置から離れた位置へ搬送された位置に存在する。−
図２に示すように、装置１００により、ドーム６２の取り外し後のドームハウジング６０からの使用済みカートリッジの迅速取り出しとベース６４への迅速カートリッジ装填とが提供される。カートリッジ取り出しとカートリッジ装填の著しく減少した時間の他に、本開示のフィルタディスク取扱い機器１０によって、以下に詳細に記述されるようにフィルタ装置のＣＩＰ／ＳＩＰが著しく改良される。
【００５４】
本開示のフィルタディスク取扱い機器１０を使用するスプリットドームハウジング７０が図３に示される。言及するように、スプリットドームハウジング７０は内側に１つだけの積層セルタイプフィルタカートリッジを有する。このことは、セルタイプフィルタカートリッジ１４の複数積層体が通常の操作中にドーム６２の内側に位置する、図２に示すマルチラウンドハウジング６０と対照的である。
【００５５】
図４、図５Ｄ、図１１に示すように、センタポスト部材３０はアダプタ部材４０と組み立てて示される。目下、センタポスト部材は、アダプタ部材４０の内部に雌ねじ付き孔４２（図１１参照）とかみ合うセンタポスト端部と協同するねじ山付き部３２を有する。ねじ山とスクリュは、センタポスト部材をアダプタ部材に接続する目下好ましい方法であるけれども、使用済みの積層セルタイプカートリッジの重量を安全にハウジングベースから取り出し離れた位置に搬送することができる限り、センタポストをアダプタ部材に接続する任意の既知の方法を使用することができると理解するべきである。
【００５６】
図３から図７に関して、積層カートリッジ積層を取り出すために、ハウジング７０は、当業者に公知のように、出口をあけ、排液し、ドーム７２を取り外し開く。締め付けナット７４とプロテクタプレート７６を、当業者に公知のように、センタポスト３０のアッパ端部から取り外す。アタッチメント部材２０は、カートリッジのセンタ開口より小さい寸法でつくり、センタポスト３０に作動可能に接続する。そのようなアタッチメント部材２０は、完全に締め付けるべきではなくて、アセンブリを搭載後に自由に回転するべきである。次に、ホイストフックはアタッチメント部材２０に取り付け、次にオペレータが、ハウジングベース６６のインサート７０からアダプタ部材４０の端部を取除くに十分である適正距離で、目下好ましくは約７．５ｃｍ（３ｉｎ）、ホイストを上方に垂直に上げる。図６には、代表的積層カートリッジ積層をハウジングベース６６の上方に吊るして示している。
【００５７】
一旦アダプタ部材４０がインサート７０を脱すると、積層カートリッジはホイストにより処分区域に移動する。この点で、積層カートリッジを水平位置（図７）に下げて、ホイストフックをアタッチメント部材２０から外す。次に、複数の図に示すように、積層カートリッジの中心からフィルタディスク取扱い機器１０を滑らせることによりセンタポスト３０を積層カートリッジから取り出す。フィルタディスク取扱い機器１０を取り出すとき、使用済みカートリッジを廃棄し、次に、センタポスト機器を、適正なメンテナンスおよび洗浄の後、別の積層カートリッジと共に使用のため戻す。
【００５８】
フィルタディスク取扱いアセンブリ１０および積層カートリッジ１４のハウジングベースへの設置は、上述のように、しかし逆の順番で、同様に行うことがある。
【００５９】
図８Ａおよび８Ｂは参照番号２００で明示する主題の改良ハウジングを示す。上述のように、先行技術標準ハウジングは特にＣＩＰ／ＳＩＰ操作を受け入れ易くない。具体的には、図９Ａ〜図９Ｃに示すように、先行技術ハウジング３００の形状は、汚れを捕捉し洗浄困難である鋭角のコーナを含む。また、先行技術センタポストの形状および先行技術センタポストのインサート３１４とのかみ合いに起因して、さらに、ハウジング３００はセンタポストとかみ合うための雌ねじ付き盲孔３１２を含む。この雌ねじ付き盲孔３１２およびインサーと３１４内に形成された流体開口は、また、汚れを捕捉し洗浄が極めて困難である。その上、インサート３１４には、その形状から、さらに洗浄操作を困難にする、アクセスできない面３１６およびクレビス３１８が存在する。
【００６０】
本開示のハウジング２００によって、先行技術ハウジングに付随する洗浄障害が排除される。従って、ベースに形成された鋭角のコーナを丸みのあるコーナ２１０を組入れることにより排除する。ベース２６６の底部２６８には入口２７０からろ過液出口２７２中へテーパが付いている。ベース２６６に形成された盲孔または雌ねじ付き孔は存在しない。さらに、クレビスが存在しない、従って、フィルタディスク取扱い機器がフィルタディスクハウジング内のインサート２７４とかみ合う位置からフィルタディスク取扱い機器を取り出した後に単純でまっすぐな流体流路が存在する。
【００６１】
図１０に示すように、ベース３６６の出口の内側に永久的に取り付けた先行技術位置からアダプタ部材３１４（図９Ａ〜図９Ｃ）構造体を取り去り、かつ、センタポストに作動可能に接続した取り外し可能な部材としてアダプタ部材を改めて構築することにより、ＣＩＰおよびセルタイプフィルタカートリッジの取り外し性および設置性において莫大な効果が達成される。
【００６２】
図１１はインサート２７４に作動可能に位置決めする新規のアダプタ部材４０を示す。任意のクレビスを最小にするため、オーリング溝４２を、内径に可能な限り近づけて作動可能に位置決めする。図８Ａに示すように、１つの特定の実施例では、洗浄操作を改善するために約３．８１ｃｍ（１．５ｉｎ）半径の丸み２１０をベース２６６内に加工し、排水を改善するために入口に向けて１度のテーパを与え、かつ、溶接製作、研磨およびカートリッジ密封の目的で約１１．４３ｃｍ（４．５ｉｎ）幅のフラット区域を備える。回転防止ピン（示されない）は、アダプタ部材４０が回転しないようにベースに位置決めする一方、カートリッジ密封ナット７４（図３）をしっかり締める。回転防止ピンはアダプタ部材フランジ４４（図５Ａ参照）に形成した対応凹所９とかみ合う。約１度のテーパが排液容易化のため入口に向かって続く。センタポストインサート／出口７０／２７４の詳細は図１０に示され、ＣＩＰ操作および／またはＳＩＰ操作を大幅に容易にする設計の代表である。
【００６３】
図５Ａ〜図５Ｃに示すように、代表的アダプタ部材４０を説明する。示すように、アダプタ部材の１つの特定の実施例はベースプレート４４またはフランジ４６を有するベース部材を有する。ベース部材は、目下好ましくは、流体ろ過装置からろ過液集積所へろ過液が移動するように、内部に位置する６つの開口４８を有する。開口４８は、目下好ましくは、センタポスト３０のねじ山付き部３２を受けるように中央部に作動可能に位置する雌ねじ付き孔４２の周りに等しく間隔をあけて配置している。２つの溝４３を、インサート２７４で密封するためのオーリングを受けるために、ポストアダプタ４０の外側部に形成する。
【００６４】
本開示のセンタポスト取り出し装置は、また、装填時間を低減するために、閉鎖容器内に収容されるに先立ち始めにセルタイプフィルタカートリッジを操作位置に設置するとき効果的である。
【００６５】
ハウジングベースから取除かれた空のハウジングおよびドームに関し、改良ハウジングベースへの積層カートリッジを含む改良センタポストの設置は、以下のように行う。すなわち、（ａ）２つの新しいオーリングをアダプタ部材に装着する。（ｂ）オーリングを水または処理流体で滑らかにする。（ｃ）センタポストをハウジングベース中へ挿入し、アダプタ部材を受け入れるためにハウジングベースはくり抜かれ先細になっており、かつ、回転防止ピンはハウジングベースに溶接する。（ｄ）ハウジングベース中にアダプタを挿入するとき、回転防止ピンが正しく整列することを確実にする。（ｅ）以下を設置する、すなわちハウジングガスケット、バッフルプレート、フィルタカートリッジ、プロテクタプレート、締め付けナットを。（ｆ）ハウジングを密閉する。
【００６６】
従来からのセンタポストをプラグインコネクタで適合させることにより、１つの全積層カートリッジ（１つ以上のカートリッジ）を、ホイストを使用する１つの動作でハウジングベースから分離することができる。ハウジングは、次に、ＣＩＰ操作のために密閉することがある、あるいは先に装填したセンタポストの上に新しいカートリッジを直ちに装填することがある。工程のダウンタイムは劇的に減少する。一旦工程がバックオンラインであるまたはＣＩＰが始まったとき、目詰まりしたカートリッジおよび内装物は分解し、洗浄し、かつ廃棄することがある。ハウジングベースが、プラグインコネクタを受け入れるため改良されるので、別の現存する欠点（雌ねじ付き盲孔、溶接された出口流路、溶接のクレビス等）はもはや存在しない。取り出された内装物に関し、出口流路は、容易に洗浄される単純で先細の貫通孔である。
【００６７】
本開示の装置の幾つかの可能な変更が存在する。プラグインコネクタは、シングルオーリング、ダブルオーリング、機械的シール、およびガスケットによってハウジングベースに密封することができる。アダプタフランジ面は排液のためにテーパを付すことができる。回転防止ピンおよび溝はアセンブリを単純化するためにピンおよびつまみにすることができる。アダプタを貫通する流路は拡大されかつ半円形の形状である。センタポストはアダプタ中にねじ込むよりはむしろアダプタに溶接される。材料、寸法、はめ合い、リードインアングルは改良され、かつ最適化される。
【００６８】
上述の革新により、主として積層カートリッジの迅速な取り出し及び設置が与えられる。これらの新しい特徴は、また、フィルタハウジングベースの大幅な単純化を提供することにより、洗浄溶液および蒸気の流動性を高める。組み合わせて、新規の革新により真に製剤グレードのフィルタハウジング設計の出現が提供される。
【００６９】
ダブルオーリングプラグインコネクタを有する標準センタポストを改善することにより、１つの全積層カートリッジ（４つのカートリッジ）を、ホイストを使用する単一動作でハウジングベースから取り外すことができる。ハウジングは、次に、ＣＩＰ操作のために密閉すことができる、あるいは、本開示の教示に従い改良され、先に装填された改良センタポスト上に新しいカートリッジを直ちに装填することができる。本開示の改良センタポストおよびハウジングベースから導かれる効果のうち目立っているのは、劇的に減少した工程ダウンタイムの達成である。一旦、工程が先に装填した改良センタポストを使用するバックオンラインであると、目詰まりしたカートリッジおよび内装物を分解し、洗浄し、かつ廃棄することができる。
【００７０】
本開示の装置、機器、および方法が本出願の目的を満足することを明白にすべきである。具体的には、装置および方法は、センタポスト取り出し装置の使用を含むがこのことに限定されないろ過操作で使用されるセルタイプフィルタカートリッジのような未使用および使用済みの積層ディスクの容易で、安全かつ効果的な取扱いを提供し、ハウジングの囲いを取り去った後、ハウジング内の作動可能な位置から使用済みカートリッジを取り出す。装置および方法は、積層ディスクの手動による吊り上げおよび搬送を回避する。装置および方法は、危険あるいは有毒の可能性がある物質とオペレータとの接触を最小にするために、オペレータと積層セルタイプディスクとの直接接触を排除した、あるいは少なくとも最小化した、かつ、セルタイプフィルタディスクの外面に集まる、滑りやすく有毒のまたは危険な物質でフィルタハウジングの環境を汚染することを最小にした。装置および方法により、オペレータが要求されるいかなる重い吊り上げも排除されたあるいは少なくとも最小になった。装置および方法により、セルタイプフィルタカートリッジの交換に要する総時間を低減することにより交換に起因するダウンタイムを低減するように役立った。
【００７１】
本明細書が含む装置およびこの装置を使用する方法は本開示の好ましい実施例を構成するけれども、開示はこれらの正確な装置および方法に限定されず、変更が、付属のクレームに定める開示の範囲から逸脱せずに本開示になされることを理解するべきである。
【図面の簡単な説明】
【図１】
図１は、本開示のフィルタディスク取扱い機器を示す本出願の方法に使用する代表的装置の斜視図である。
【図２】
図２は、代表的マルチラウンドハウジングに設置した図１のフィルタディスク取り出し／取扱い機器を示す。
【図３】
図３は、代表的スプリットドームハウジングに設置し、かつ、上方に設置したブリッジクレーンを有する図１のフィルタディスク取り出し／取扱い機器を示す。
【図４】
図４は、作動可能にフィルタディスク取扱い機器に接続したアタッチメント部材とアダプタ部材とを含むフィルタディスク取扱い機器の斜視図である。
【図５Ａ】
【図５Ｂ】
【図５Ｃ】
図５Ａ〜図５Ｃは、内側に形成した６つの開口と、中心雌ねじ孔と、周辺部の凹部とを有する本開示のアダプタ部材を示す。
【図５Ｄ】
図５Ｄはアダプタ部材と作動可能にかみ合うセンタポスト部材の拡大斜視図である。
【図６】
図６は、取扱い機器をフィルタハウジングベースから取り外したときの、取扱い機器により吊り上げた複数の積層フィルタディスクを示す取扱い機器の斜視図である。
【図７】
図７は、複数のフィルタディスクの内部から取り外した、本開示の革新的フィルタディスク取り外し装置を示す。
【図８Ａ】
図８Ａは本ハウジングのＣＩＰ／ＳＩＰ特定品の側面図である。
【図８Ｂ】
図８Ｂは本ハウジングのＣＩＰ／ＳＩＰ特定品の部分拡大断面図である。
【図９Ａ】
図９Ａは先行技術ハウジングの側面図である。
【図９Ｂ】
図９Ｂは図９Ａの先行技術フィルタハウジングの部分拡大断面図である。
【図９Ｃ】
図９Ｃは先行技術フィルタハウジングインサートの平面図である。
【図１０】
図１０は本開示のインサート／出口アセンブリの断面図である。
【図１１】
図１１は、センタポスト部材がアダプタ部材とねじ山でかみ合い、かつ、それにより形成されたアセンブリがハウジングのインサート／出口アセンブリと滑動可能にかみ合う本開示の革新的取り出し装置を示す。
【図９Ａ】
2004507413.tif 000003
【図９Ｂ】
2004507413.tif 000004
【国際公開パンフレット】
2004507413.tif 000005
2004507413.tif 000006
2004507413.tif 000007
2004507413.tif 000008
2004507413.tif 000009
2004507413.tif 000010
2004507413.tif 000011
2004507413.tif 000012
2004507413.tif 000013
2004507413.tif 000014
2004507413.tif 000015
2004507413.tif 000016
2004507413.tif 000017
2004507413.tif 000018
2004507413.tif 000019
2004507413.tif 000020
2004507413.tif 000021
2004507413.tif 000022
2004507413.tif 000023
2004507413.tif 000024
2004507413.tif 000025
2004507413.tif 000026
2004507413.tif 000027
2004507413.tif 000028
2004507413.tif 000029
2004507413.tif 000030
2004507413.tif 000031
2004507413.tif 000032
2004507413.tif 000033
2004507413.tif 000034
2004507413.tif 000035
2004507413.tif 000036
2004507413.tif 000037
2004507413.tif 000038
【国際調査報告】
2004507413.tif 000039
2004507413.tif 000040
2004507413.tif 000041